(57)【要約】【課題】  本発明は、水の浸入を許さない埋葬用骨壷の提供を目的とする。【解決手段】  本発明は、埋葬用骨壷の発明は、御骨が収められる上部開口の容器本体と、前記上部開口を覆うように塞ぐ被い蓋体とを備え、前記蓋体は、前記容器本体の外周面と重なるように相対する内周面を備えた外周縁部を有し、前記容器本体の外周面との前記外周縁部の重なり長さは、前記蓋体が被せられた状態の容器本体が埋葬用骨壷として載置される姿勢のままで水没させられた際に、容器本体内の空気圧抵抗によって、前記容器本体の外周面と蓋体の外周縁部の内周面との間から容器本体内に水が浸入不能な長さとしたことを特徴とする。【選択図】図１
2009056120.tif 000002
【特許請求の範囲】
【請求項１】
御骨が収められる上部開口の容器本体と、前記上部開口を覆うように塞ぐ被い蓋体とを備え、
前記蓋体は、前記容器本体の外周面と重なるように相対する内周面を備えた外周縁部を有し、前記容器本体の外周面との前記外周縁部の重なり長さは、前記蓋体が被せられた状態の容器本体が埋葬用骨壷として載置される姿勢のままで水没させられた際に、容器本体内の空気圧抵抗によって、前記容器本体の外周面と蓋体の外周縁部の内周面との間から容器本体内に水が浸入不能な長さとしたことを特徴とする埋葬用骨壷。
【請求項２】
御骨が収められる上部開口の容器本体と、前記上部開口を塞ぐ被い蓋体とを備え、前記容器本体の外周面と重なるように相対する蓋体の外周縁部は前記容器本体の高さに相応する長さに形成されたことを特徴とする埋葬用骨壷。
【請求項３】
御骨が収められる上部開口の容器本体と、前記上部開口を塞ぐ被い蓋体とを備え、前記容器本体の外周面と重なるように相対する蓋体の外周縁部は前記容器本体が載置される載置面に達する長さに形成されたことを特徴とする埋葬用骨壷。
【請求項４】
容器本体と蓋体とは、容器本体の外周面と蓋体の外周縁部の内周面とが毛細管現象の発生不能な間隔で嵌合することを特徴とする請求項１乃至請求項３の何れかに記載の埋葬用骨壷。
【請求項５】
容器本体の上部開口は内蓋を備えていることを特徴とする請求項１乃至請求項４の何れかに記載の埋葬用骨壷。
【請求項６】
容器本体の外底側には容器外底を載置面に直接接触させない凸部が形成されていることを特徴とする請求項１乃至請求項５の何れかに記載の埋葬用骨壷。
【請求項７】
容器本体の底には容器本体内の水を外部に導く排水口を有し、当該排水口は透水性部材で塞がれたことを特徴とする請求項６に記載の埋葬用骨壷。
【発明の詳細な説明】
【技術分野】
【０００１】
本発明は、墓地の納骨室に納められる埋葬用の骨壷に関する。
【背景技術】
【０００２】
一般に、骨壷が収められる墓地の納骨室は、常時多湿状態であり、季節や昼夜の温度差による結露によって室内には次第に水が溜まって行き、終には室内の床に安置（載置）されてある骨壷の中にまで溜まり水が浸入して、遺骨が水浸し状態になってしまう、という不都合があった。
又、経年変化による納骨室の損傷によって、外部から雨水の浸入を招いて、同様の状態となる場合も少なくない。
【発明の開示】
【発明が解決しようとする課題】
【０００３】
本発明は、上記不都合の解消を目的とし、水の浸入を許さない埋葬用骨壷の提供を目的とする。
【課題を解決するための手段】
【０００４】
請求項１の埋葬用骨壷の発明は、御骨が収められる上部開口の容器本体と、前記上部開口を覆うように塞ぐ被い蓋体とを備え、前記蓋体は、前記容器本体の外周面と重なるように相対する内周面を備えた外周縁部を有し、前記容器本体の外周面との前記外周縁部の重なり長さは、前記蓋体が被せられた状態の容器本体が埋葬用骨壷として載置される姿勢のままで水没させられた際に、容器本体内の空気圧抵抗によって、前記容器本体の外周面と蓋体の外周縁部の内周面との間から容器本体内に水が浸入不能な長さとしたことを特徴とする。
【０００５】
請求項２の埋葬用骨壷の発明は、御骨が収められる上部開口の容器本体と、前記上部開口を塞ぐ被い蓋体とを備え、前記容器本体の外周面と重なるように相対する蓋体の外周縁部は前記容器本体の高さに相応する長さに形成されたことを特徴とする。
【０００６】
請求項３の埋葬用骨壷の発明は、御骨が収められる上部開口の容器本体と、前記上部開口を塞ぐ被い蓋体とを備え、前記容器本体の外周面と重なるように相対する蓋体の外周縁部は前記容器本体が載置される載置面に達する長さに形成されたことを特徴とする。
【０００７】
請求項４の発明は、請求項１乃至請求項３の何れかに記載の埋葬用骨壷において、容器本体と蓋体とは、容器本体の外周面と蓋体の外周縁部の内周面とが毛細管現象の発生不能な間隔で嵌合することを特徴とする。
【０００８】
請求項５の発明は、請求項１乃至請求項４の何れかに記載の埋葬用骨壷において、容器本体の上部開口は内蓋を備えていることを特徴とする。
【０００９】
請求項６の発明は、請求項１乃至請求項５の何れかに記載の埋葬用骨壷において、容器本体の外底側には容器外底を載置面に直接接触させない凸部が形成されていることを特徴とする。
【００１０】
請求項７の発明は、請求項６に記載の埋葬用骨壷において、容器本体の底には容器本体内の水を外部に導く排水口を有し、当該排水口は透水性部材で塞がれたことを特徴とする。
【発明の効果】
【００１１】
請求項１乃至請求項７の発明によれば、何れも、従来課題とされてきた骨壷への水の浸入や遺骨の水浸しという遺族にとって不快な問題を解消し、骨壷へ水の浸入を許さない埋葬用骨壷を提供することができる。
【００１２】
又、請求項１乃至請求項７の発明は、何れも、容器本体と蓋体との被せ構造の工夫という構造改革によるものであるから、製造コストの低減を図ることができ、安価な埋葬用骨壷を提供することができる。
【００１３】
又、請求項７の発明によれば、万一、骨壷内に水が浸入しても透水性部材でふさがれた排水口を通して浸入した水を排除することができるし、骨壷内の結露によって壷内に生じた水も自然に排除することができる。
【発明を実施するための最良の形態】
【００１４】
以下、本発明に係る埋葬用骨壷の最良の実施形態を図１乃至図５に示す実施例１及び実施例２に基づいて説明する。
図１は実施例１の骨壷の断面図、図２は図１の部分拡大断面図、図３は実施例２の骨壷の断面図、図４は実施例３の骨壷の断面図、図５は図４の一部拡大斜視図である。
【実施例１】
【００１５】
図１及び図２において、実施例１の骨壷１は、御骨が収められる上部開口２容器本体３と、この容器本体３の上部開口２を覆うように塞ぐ被い蓋体４とを備えており、蓋体４が容器本体３の外周面５と重なるように相対する内周面６を備えた外周縁部７を有したものである。
【００１６】
容器本体３の外周面５と蓋体４の外周縁部７との重なり長さＨは、蓋体４が被せられた状態の容器本体３が埋葬用の骨壷として、図示されてない墓地の納骨室に、載置される姿勢のままで水没させられたと仮定した際に、容器本体３内の空気圧抵抗によって、容器本体３の外周面５と蓋体４の外周縁部７の内周面６との間隙Ｌから、容器本体３内に水が浸入するのを阻止できる長さ、即ち水が浸入不能な長さに、少なくともしておく必要がある。
【００１７】
このような浸入不能な長さとして、図示の例のＨでは、容器本体３の外周面５と重なるように相対する蓋体４の外周縁部７が容器本体３の高さに相応する長さ、逆に言えば、上部開口２から容器本体３が載置された床面即ち載置面８に達する長さとしてあり、この長さＨは、納骨室内に生じたり、浸入したりした水が骨壷内に浸入不能な十分な長さである。
【００１８】
上記の容器本体３と蓋体４とは、容器本体３の外周面５と蓋体４の外周縁部７の内周面６との間の間隙Ｌが、水の毛細管現象の発生不能な間隔で嵌合させておくと良い。勿論、仮にこの間隙に毛細管現象が発生しても容器本体３内の空気圧抵抗によって水の浸入は阻止される。
【実施例２】
【００１９】
図３に示す実施例２の骨壷２０は、容器本体３内への水の浸入をより確実に防ぐため、上部開口２に更に内蓋２１を備えた構成とした骨壷の例である。
本発明においては、この内蓋２１は必ずしも必要でないが、内蓋２１があっても適用できる。
【実施例３】
【００２０】
図４及び図５に示す実施例３の骨壷３０は、上記実施例１の構成を備えた骨壷１或いは又実施例２の内蓋２１を備えた骨壷２０において、容器本体３の外底側に、容器本体３の外底を載置面８に直接接触させないよう脚部としての凸部３１を備えた構成とすると共に、容器本体３の底に、当該容器本体３内の水を容器の外部に排出するように導く排水口３２を形成したものであり、しかも、この排水口３２は開放されておらず、例えば軽石のような多孔質性の透水性部材で塞いだ構成とした骨壷である。
【００２１】
実施例３の骨壷によれば、脚部としての凸部３１を容器本体３に設けることによって、納骨室内に溜まる水による水没や水の浸入の可能性を大幅に低減することができる。
【００２２】
又、透水性部材で塞がれた排水口３２を設けることによって、骨壷内への埃や塵、或いは小動物の侵入を阻止できると共に、骨壷内に水が浸入しても透水性部材で塞がれた排水口３２を通して浸入した水を排除することができるし、骨壷内の結露によって壷内に生じた水も自然に排除することができる。
【産業上の利用可能性】
【００２３】
本発明によれば、産業上利用できる埋葬用骨壷を安価にて提供することができる。
【図面の簡単な説明】
【００２４】
【図１】骨壷の断面図である（実施例１）。
【図２】図１の部分拡大断面図である（実施例１）。
【図３】骨壷の断面図である（実施例２）。
【図４】骨壷の断面図である（実施例３）。
【図５】図４の一部拡大斜視図である（実施例３）。
【符号の説明】
【００２５】
１    骨壷（実施例１）
２    上部開口
３    容器本体
４    蓋体
５    外周面（容器本体）
６    内周面（外周縁部）
７    外周縁部
２０  骨壷（実施例２）
２１  内蓋
３０    骨壷（実施例３）
３１  凸部（脚部）
３２  排出口
【図１】
2009056120.tif 000003
【図２】
2009056120.tif 000004
【図３】
2009056120.tif 000005
【図４】
2009056120.tif 000006
【図５】
2009056120.tif 000007